(57)【要約】      （修正有）【課題】テレビジョンの駆動を制御するための設定値である工場出荷時の設定値を、適切な値に容易に変更可能な設定値記録システムを提供する。【解決手段】マイコンは、内蔵する記憶装置には所定のプログラムのみを格納し、ＥＥＰＲＯＭは、設定値であってユーザが設定可能な所定のユーザ設定値を記録するためのユーザ設定値記録領域と、設定値であって工場出荷前において設定する所定の出荷設定値を記録するための出荷設定値記録領域とを有し、テレビジョンに接続し、出荷設定値記録領域に記録された出荷設定値を所定の値に書換え可能な設定値書換装置を備える構成としている。【選択図】図１
0003104683.tif 000002
【実用新案登録請求の範囲】
【請求項１】
テレビジョンの駆動を制御するための所定のプログラムを、内蔵する所定の記憶装置に格納するマイコンと、同マイコンの外部に配設されるＥＥＰＲＯＭとを備えるテレビジョンにおいて、同マイコンが上記プログラムによる制御の際に参照する所定の設定値を記録する設定値記録システムにおいて、
上記マイコンは、上記内蔵する記憶装置には上記所定のプログラムのみを格納し、
上記ＥＥＰＲＯＭは、上記設定値であってユーザが設定可能な所定のユーザ設定値を記録するためのユーザ設定値記録領域と、上記設定値であって工場出荷前において設定する所定の出荷設定値を記録するための出荷設定値記録領域とを有し、
上記テレビジョンに接続し、上記出荷設定値記録領域に記録された上記出荷設定値を所定の値に書換え可能な設定値書換装置を備えることを特徴とする設定値記録システム。
【請求項２】
内蔵する所定の記憶装置にはテレビジョンの駆動を制御するための所定のプログラムのみを格納するマイコンと、同マイコンの外部に配設さる記憶装置であって、工場出荷前に設定する所定の出荷設定値を記録するための出荷設定値記録領域を有する書換え可能な外部記憶装置とを備えるテレビジョンと、
上記外部記憶装置の出荷設定値記録領域に記録された上記出荷設定値を所定の値に書換え可能な設定値書換手段と、
を備えることを特徴とする設定値記録システム。
【請求項３】
上記外部記憶装置は、上記出荷設定値記録領域とは別の領域として、ユーザが設定可能な所定のユーザ設定値を記録するためのユーザ設定値記録領域を有することを特徴とする請求項２に記載の設定値記録システム。
【請求項４】
上記外部記憶装置は、ＥＥＰＲＯＭであることを特徴とする請求項２または請求項３のいずれかに記載の設定値記録システム。
【考案の詳細な説明】
【技術分野】
【０００１】
本考案は、設定値記録システムに関し、特に、テレビジョンの駆動を制御する際に参照される設定値を記録する設定値記録システムに関する。
【背景技術】
【０００２】
従来のテレビジョンにおいては、装置を駆動させるための所定のプログラムと同プログラムを稼動させる際に参照するパラメータ類（設定値）が、何れもマイコンが内蔵するＲＯＭなどの記憶装置に記録されていた。
【０００３】
また、従来技術として、ＣＰＵ１によってＥＥＰＲＯＭ９に格納されたプリンタ固有の初期値を、受信データに基づいて変更するプリンタの初期値設定方法が知られている（例えば、特許文献１参照。）。
【特許文献１】特開平７‐２３２４６９号公報
【考案の開示】
【考案が解決しようとする課題】
【０００４】
従来においては、上記プログラムと設定値とを上記ＲＯＭなどの記憶装置に記録していたため、マイコンをマスク化すると、それ以降、同設定値を変更することができなかった。その結果、特に工場からの出荷前において、個別の取引先からの要求や不具合の発見によって一度記録した上記設定値を変更する必要が生じた場合に、マイコンそのものを取り替えなければならないという問題が生じていた。
また、上記特許文献１は、ユーザ使用時にユーザによって変更可能な範囲で初期値を変更するものである。そのため、テレビジョンの駆動状況を制御するための設定値であって、工場での調整段階でなければ変更できない記録領域における設定値に対しては対応できなかった。
【０００５】
本考案は、上記課題にかんがみてなされたもので、テレビジョンの駆動を制御するための設定値である工場出荷時の設定値を、適切な値に容易に変更可能な設定値記録システムを提供することを目的とする。
【課題を解決するための手段】
【０００６】
上記目的を達成するため、請求項１にかかる考案は、テレビジョンの駆動を制御するための所定のプログラムを、内蔵する所定の記憶装置に格納するマイコンと、同マイコンの外部に配設されるＥＥＰＲＯＭとを備えるテレビジョンにおいて、同マイコンが上記プログラムによる制御の際に参照する所定の設定値を記録する設定値記録システムにおいて、上記マイコンは、上記内蔵する記憶装置には上記所定のプログラムのみを格納し、上記ＥＥＰＲＯＭは、上記設定値であってユーザが設定可能な所定のユーザ設定値を記録するためのユーザ設定値記録領域と、上記設定値であって工場出荷前において設定する所定の出荷設定値を記録するための出荷設定値記録領域とを有し、上記テレビジョンに接続し、上記出荷設定値記録領域に記録された上記出荷設定値を所定の値に書換え可能な設定値書換装置を備える構成としてある。
【０００７】
上記のように構成した請求項１にかかる考案では、テレビジョンは、同テレビジョンの駆動を制御するための所定のプログラムを、内蔵する所定の記憶装置に格納するマイコンと、同マイコンの外部に配設されるＥＥＰＲＯＭとを備える。そして、同テレビジョンにおいて、上記マイコンがプログラムによる制御の際に参照する所定の設定値を記録する。
【０００８】
ここで、マイコンは、上記内蔵する記憶装置には上記所定のプログラムのみを格納している。一方、ＥＥＰＲＯＭには、上記設定値であってユーザが設定可能な所定のユーザ設定値を記録するためのユーザ設定値記録領域と、上記設定値であって工場出荷前において設定する所定の出荷設定値を記録するための出荷設定値記録領域とが設けられている。かかるテレビジョンに対して、設定値書換装置を接続し、上記出荷設定値記録領域に記録された出荷設定値を所定の値に書換える。
【０００９】
すなわち、上記マイコンがプログラムによって所定の制御を行う際に参照する設定値は、全てマイコンの外部のメモリ装置に記録される。その結果、工場の製品製造過程でマイコンをマスク化した後においても、必要に応じて上記出荷設定値を容易に書換えることが可能となる。
【００１０】
請求項２にかかる考案は、内蔵する所定の記憶装置にはテレビジョンの駆動を制御するための所定のプログラムのみを格納するマイコンと、同マイコンの外部に配設さる記憶装置であって、工場出荷前に設定する所定の出荷設定値を記録するための出荷設定値記録領域を有する書換え可能な外部記憶装置とを備えるテレビジョンと、上記外部記憶装置の出荷設定値記録領域に記録された上記出荷設定値を所定の値に書換え可能な設定値書換手段とを備える構成としてある。
【００１１】
上記のように構成した請求項２の考案においては、テレビジョンは、マイコンと同マイコンの外部に配設さる書換え可能な外部記憶装置を備える。マイコンは、内蔵する所定の記憶装置にはテレビジョンの駆動を制御するための所定のプログラムのみを格納する。また、外部記憶装置は、工場出荷前に設定する所定の出荷設定値を記録するための出荷設定値記録領域を有する。かかる構成のテレビジョンに対して、設定値書換手段は、同出荷設定値記録領域に記録された出荷設定値を所定の値に書換える。
すなわち、出荷設定値は全てマイコンの外部の記憶装置に記録されるため、工場の製品製造過程でマイコンをマスク化した後においても、必要に応じて同出荷設定値を容易に書換えることが可能となる。
【００１２】
請求項３にかかる考案は、請求項２に記載の設定値記録システムにおいて、上記外部記憶装置は、上記出荷設定値記録領域とは別の領域として、ユーザが設定可能な所定のユーザ設定値を記録するためのユーザ設定値記録領域を有する構成としてある。
【００１３】
上記のように構成した請求項３の考案においては、上記外部記憶装置に、ユーザ設定値記録領域を別途設ける。その結果、工場出荷前においては、設定値書換手段によって出荷設定値記録領域に記録された出荷設定値を書換えることができ、工場出荷後においては、ユーザが所定のユーザ設定値を記録することができる。
なお、上記書換可能な外部記憶装置としては種々の記憶装置が考えられるが、一例としてＥＥＰＲＯＭを採用することができる。
【考案の効果】
【００１４】
以上説明したように、本願考案によれば、マイコンをマスク化した後の工場出荷前の段階においても、取引先からの仕様変更の要求や不具合に対応して、出荷設定値を容易に変更することができ、結果的に出荷設定値が異なる製品間でもマイコンについては共通部品化することができる。
【考案を実施するための最良の形態】
【００１５】
図３は、従来のテレビジョンに搭載していたマイコン６０とＥＥＰＲＯＭ７０とを示している。
同図においては、図示しないチューナ回路やクロマＩＣや電源用回路等とシステムバス６４を介して接続することによりテレビジョンの全体を制御するマイコン６０と、同マイコン６０の外部メモリとしてのＥＥＰＲＯＭ７０とを示している。マイコン６０は、概略、中央演算装置としてのＣＰＵ６１と、書き換え不可能な半導体メモリであるＲＯＭ６２と、書き換え可能な半導体メモリであるＲＡＭ６３とを備えている。
【００１６】
ＲＯＭ６２には、テレビジョンの駆動制御のための所定の演算プログラムや制御プログラムなどが書き込まれており、ＣＰＵ６１は、ＲＡＭ６３をワークエリアとして使用しながらこれら各プログラムを実行する。従来においては、テレビジョンの製品製造時に、ＣＰＵ６１が各プログラムを実行する際に参照する各種設定値を出荷設定値としてＲＯＭ６２に記録していた。各種設定値としては、例えば、画面の輝度やコントラスト、或いは音声のボリュームを決定する設定値が考えられる。
【００１７】
一方、ＥＥＰＲＯＭ７０には、ユーザ使用時においてユーザが各種設定値を変更した場合に、同変更された設定値を記録するための、所定のメモリ容量を確保されたユーザ設定値用記録領域７１が設けられている。
【００１８】
ここで、あるモデルのテレビジョンを出荷する場合にあっては、製品チェック段階に発見された不具合や個別の取引先からの要望によって、一度設定した上記出荷設定値を、ある台数に対しては再度変更する場合がある。しかし、上記従来の構成においては、マイコン６０をマスク化した後では、上記マイコン６０内に記録された出荷設定値を書き換えることできず、同出荷設定値を変更するにはマイコン６０そのものを取替える必要があった。
【００１９】
図１は、本願にかかるテレビジョン１０に搭載するマイコン２０とＥＥＰＲＯＭ３０とを示している。
マイコン２０は、上記マイコン６０と同様に、概略、ＣＰＵ２１とＲＯＭ２２とＲＡＭ２３とを備え、ＥＥＰＲＯＭ３０の他、図示しない各回路とシステムバス２４を介して接続している。しかし、従来の構成と異なり、マイコン２０が内蔵するＲＯＭ２２には、テレビジョン１０の駆動制御のための演算プログラムや制御プログラムは記録されているが、ＣＰＵ２１が同プログラムを実行する際に参照する各種設定値は記録されていない。また、ＥＥＰＲＯＭ３０は、ユーザ設定値用記録領域３１の他に、別途所定のメモリ容量を確保された出荷設定値用記録領域３２を有している。すなわち、出荷設定値を記録するメモリ装置をマイコン２０の外部に設けることとした。
【００２０】
図２は、出荷設定値を変更する際の作業状態を示している。
同図に示すように、生産ライン８０上を、出荷設定値の変更作業の対象となるテレビジョン１０が複数台流れている。実際の作業においては、各テレビジョン１０に対して、出荷設定値の書換装置であるＰＣ４０を接続コード４１を介して接続する。そして、各テレビジョン１０のＥＥＰＲＯＭ３０の出荷設定値用記録領域３２に既に記録されている所定の出荷設定値を、ＰＣ４０の操作によって新たな出荷設定値に書換える。
【００２１】
ＰＣ４０の表示画面４２に示すスタートボタンをクリックすることにより、一台のテレビジョン１０に対する出荷設定値の書換え作業が開始される。書換え作業中においては、ウィンドウ４３に書換え先の出荷設定値にかかるデータが羅列表示される。全ての書換え作業が終了したら、ＯＫボタンが表示され、同ＯＫボタンをクリックすることで、一台のテレビジョン１０に対する出荷設定値の変更作業が終了する。
【００２２】
かかる構成とすれば、工場出荷前においてマイコン２０をマスク化した後でも、上記出荷設定値を容易に変更することができる。なお、上記書換装置としてのＰＣ４０は、既に記録されている出荷設定値を所望の出荷設定値に書換える場合だけでなく、最初に出荷設定値用記録領域３２に出荷設定値を記録する際にも使用可能であることは言うまでもない。
【００２３】
出荷設定値用記録領域３２に記録された出荷設定値とユーザ設定値用記録領域３１に記録されるユーザ設定値との関係について、簡単に説明する。
製品出荷時においては、ＥＥＰＲＯＭ３０のユーザ設定値用記録領域３１には、各種設定値が初期設定値すなわち出荷設定値であることを示す所定のデフォルトが記録されている。製品使用時においてＣＰＵ２１がテレビジョン１０の駆動制御を行う際には、先ず、ＣＰＵ２１は、ＥＥＰＲＯＭ３０の上記ユーザ設定値用記録領域３１にアクセスし、同領域に記録されているデータを読出す。このとき、上記デフォルトを取得した場合には、ＣＰＵ２１は、出荷設定値用記録領域３２にアクセスする。そして、同出荷設定値用記録領域３２に記録されている出荷設定値を読出し、同出荷設定値を参照して、所定のプログラムに基づいて、画面の輝度やコントラストや音声ボリュームなどの調整を行う。
【００２４】
一方、ユーザが、リモコン操作などで各種設定を所望のユーザ設定値に変更した場合は、ユーザ設定値用記録領域３１には、上記デフォルトの代わりに同ユーザ設定値が記録される。ＥＥＰＲＯＭ３０のユーザ設定値用記録領域３１にアクセスしたＣＰＵ２１は、同領域において上記デフォルト以外のデータ、すなわちユーザ設定値を取得した場合には、以降、出荷設定値用記録領域３２に記録された出荷設定値ではなく、ユーザ設定値用記録領域３１に記録されたユーザ設定値を参照し、所定のプログラムに基づいて画面の輝度やコントラストや音声ボリュームなどの調整を行う。
【００２５】
なお、ユーザがユーザ設定値を決定することでテレビジョン１０の各種設定を変える場合であっても、ユーザがデータを変更可能なＥＥＰＲＯＭ３０の記録領域は、通常、ユーザ設定値用記録領域３１に限られる。一方、出荷設定値用記録領域３２に記録された出荷設定値については、工場での製造・調整段階でなければ変更することはできない。
ここで、ユーザ個人が各種設定を所望の設定値に変更する場合とは異なり、量販店や仕向地別などの取引先によって、所定数量の台数について始めから画面の明るさ等の初期設定値を特定の値とすることが要求される場合がある。かかる場合に、本願構成を用いれば、出荷設定値用記録領域３２に記録された出荷設定値を容易に所望の値に変更できるため、確実に上記要求に応えることができる。
【００２６】
このように、マイコン２０が所定のプログラムに基づいてテレビジョン１０の駆動制御を行う際に参照する出荷設定値をマイコンの外部メモリに記録する。その結果、マイコン２０をマスク化した後でも、同出荷設定値を容易に変更することができ、マイコン２０については共通部品化することができる。また、工場出荷前の製品チェック段階で発見された不具合や、個別取引先からの出荷設定値の変更要求によって出荷設定値を変更する必要性が生じても、確実に所要の出荷設定値に変更することができる。
【図面の簡単な説明】
【００２７】
【図１】本願にかかるマイコンとＥＥＰＲＯＭとを示したブロック図である。
【図２】出荷設定値の変更作業の説明図である。
【図３】従来におけるマイコンとＥＥＰＲＯＭとを示したブロック図である。
【符号の説明】
【００２８】
１０…テレビジョン
２０，６０…マイコン
２１，６１…ＣＰＵ
２２，６２…ＲＯＭ
２３，６３…ＲＡＭ
３０，７０…ＥＥＰＲＯＭ
３１，７１…ユーザ設定値用記録領域
３２…出荷設定値用記録領域
４０…ＰＣ
４１…接続コード
【図１】
0003104683.tif 000003
【図２】
0003104683.tif 000004
【図３】
0003104683.tif 000005